(57)【要約】  本発明は、前頭部ベルト（４）、後部バスケット（５）、および前頭部ベルトと後部バスケットを着用者の頭部に沿って引っ張る引張手段を含むヘルメット用自動調整式保持システムに関し、保持システムにおいて、引張手段が、ばね（１）と、前頭部ベルトに結合されたケーブル（２）とを含み、前記ばねが前記ケーブルを介して前頭部ベルトを引っ張る。さらに本発明は、ドーム形状部と、ドーム形状部に装着されたそのような自動調整式保持とを含むヘルメットに関する。【選択図】図１
2013529727.tif 000002
【特許請求の範囲】
【請求項１】
前頭部ベルト、後部バスケット、および前記前頭部ベルトと前記後部バスケットを着用者の頭部に沿って引っ張る引張手段を含むヘルメット用自動調整式保持システムにおいて、前記引張手段が、ばねと、前記前頭部ベルトに結合されたケーブルとを含み、前記ばねが前記ケーブルを介して前記前頭部ベルトを引っ張ることを特徴とするヘルメット用自動調整式保持システム。
【請求項２】
請求項１に記載のヘルメット用自動調整式保持システムにおいて、前記ケーブルが前記後部バスケットに可動式に接続されることを特徴とするヘルメット用自動調整式保持システム。
【請求項３】
請求項１または２に記載のヘルメット用自動調整式保持システムにおいて、前記ばねがコイルばねであることを特徴とするヘルメット用自動調整式保持システム。
【請求項４】
請求項１乃至３の何れか１項に記載のヘルメット用自動調整式保持システムにおいて、前記コイルばねが定力コイルばねであることを特徴とするヘルメット用自動調整式保持システム。
【請求項５】
請求項１乃至４の何れか１項に記載のヘルメット用自動調整式保持システムにおいて、前記ケーブルが弾性材料から作製されることを特徴とするヘルメット用自動調整式保持システム。
【請求項６】
ドーム形状部と、前記ドーム形状部に装着された請求項１乃至５の何れか１項に記載の自動調整式保持システムとを含むことを特徴とするヘルメット。
【請求項７】
請求項６に記載のヘルメットにおいて、前記ばねが前記ドーム形状部に固定されることを特徴とするヘルメット。
【請求項８】
請求項７に記載のヘルメットにおいて、前記ばねが、前記ドーム形状部に取り付けられたケースの中に配置されることを特徴とするヘルメット。
【請求項９】
請求項６乃至８の何れか１項に記載のヘルメットにおいて、前記前頭部ベルトおよび後部バスケットが、ハンガーによって前記ドーム形状部に着脱可能に接続されることを特徴とするヘルメット。
【発明の詳細な説明】
【技術分野】
【０００１】
本発明はヘルメット用自動調整式保持システムに関する。さらに本発明はそのような自動調整式保持システムを含むヘルメットに関する。
【背景技術】
【０００２】
ヘルメットを着用する主な目的は、けがをすることを避けるためである。したがってヘルメットの保持システムは非常に重要であり、快適性に加えて、安全性にも主要な影響力を持っている。
【０００３】
したがって多くのヘルメット製造業者が、安全性および快適性の両方を最適化する最新の保持システムを提供するためのシステムを開発した。
【０００４】
これら保持システムのほとんどは、ヘルメットが着用者の頭部に着用されている間、着用者が保持システムを締め付けるあるいは緩めることを可能にする調整機構を含む。そのような調整機構は通常、ノブまたは別の形状を備え、それは着用者が頭部にかかる張力を調整するための把持部を提供し、ラチェットまたはねじ、例えばＬａｚｅｒ  ＳｐｏｒｔのＲｏｌｌｓｙｓ  ｓｙｓｔｅｍに接続されている。
【０００５】
上記の保持システムの一般的な欠点は、調整機構が、保持システムを適切なサイズに締め付けるまたは緩めるために着用者からの動作を必要とすることである。
【０００６】
米国特許第６４２５１４２号明細書は上の問題に取り組み、サイズを調整するための調整機構に加えて、ヘルメットを着用者の頭部に対して安定させるために着用者の頭部の後頭部領域に対してドーム形状部を位置付けるための弾性要素またはばねを含む保持システムを提案している。
【０００７】
しかしながら、着用者からの動作が依然要求される。さらに、ばねが調整機構を着用者の頭部の後頭部領域に押し付け、それにより非対称的な締め付けと頭部に沿った不均衡な圧力分散とがもたらされ得る。
【０００８】
さらなる欠点は、弾性要素またはばねと組み合わされたそのような調整機構は、はっきりと目立ち、外観が魅力的でないこと、および弾性要素は時間が経つにつれそれらの元来の品質を失うことである。
【０００９】
上記を鑑みて、本発明の第１の目的は、ヘルメット用保持システムであって、適切なサイズに保持システムを締め付けるまたは緩めるために、着用者に限られた動作しか要求しないか、あるいは動作を要求さえしない保持システムを提供することである。
【００１０】
本発明の別の目的は、ヘルメット用保持システムであって、改良された対称的な締付けと、着用者の頭部に沿った改良された圧力分散とを提供し、改良された全体的な快適性をもたらす保持システムを提供することである。
【００１１】
さらに本発明の目的は、目立たなくなる可能性があるおよび／または外観がより魅力的になり得るヘルメット用保持システムを提供することである。
【００１２】
本発明は、ばねを含む引張手段を有し前頭部ベルトおよび後部バスケットの両方が前記ばねによってケーブルを介して引っ張られる保持システムを提案することによって上記目的を達成する。
【発明の概要】
【００１３】
本発明は、前頭部ベルト、後部バスケット、および前頭部ベルトと後部バスケットを着用者の頭部に沿って引っ張る引張手段を含むヘルメット用自動調整式保持システムにおいて、引張手段が、ばねと、前頭部ベルトに結合されたケーブルとを含み、前記ばねが前記ケーブルを介して前頭部ベルトを引っ張ることを特徴とするヘルメット用自動調整式保持システムに関する。
【００１４】
さらに本発明は、ドーム形状部と、ドーム形状部に装着されたそのような自動調整式保持とを含むヘルメットに関する。
【図面の簡単な説明】
【００１５】
【図１】図１は、本発明による自動調整式保持システムの実施形態を示す。
【図２】図２は、本発明による自動調整式保持システムで使用できる、ケースの中のばねおよびケーブルを示す。
【発明を実施するための形態】
【００１６】
本発明の文脈において、ヘルメットは、スポーツヘルメット、安全ヘルメット、軍用ヘルメットなど、保持システムを使用するあらゆる型のヘルメットとして理解される。
【００１７】
本発明の第１の実施形態によれば、前頭部ベルト（４）、後部バスケット（５）、および前頭部ベルトと後部バスケットを着用者の頭部に沿って引っ張る引張手段を含むヘルメット用自動調整式保持システムにおいて、引張手段が、ばね（１）と、前頭部ベルトに結合されたケーブル（２）とを含み、前記ばねが前記ケーブルを介して前頭部ベルトを引っ張ることを特徴とするヘルメット用自動調整式保持システムが提供される。
【００１８】
前頭部ベルトおよびばねに結合されたケーブルを介してばねによって前頭部ベルトを引っ張ることによって、適切なサイズに保持システムを締め付けるまたは緩めるために、保持システムは、着用者に限られた動作しか要求しないか、あるいは動作を要求さえしない。ヘルメットを頭部に着用するために前頭部ベルトをばねから（および後部バスケットから）遠ざけると、ばねの後退力によりケーブルおよび前頭部ベルトに張力が発生する。ばねは後退しようとして、保持システムを着用者の頭部のサイズに自動的に適合する。
【００１９】
別の利点は、着用者の頭部に沿った圧力が、実質的に頭部の全周囲にわたって分散されることである。その理由は、改良された対称的な締付けと、着用者の頭部に沿った改良された一定の圧力分散とを提供し、改良された全体的な快適性をもたらすヘルメット用保持システムを提供することが本発明の別の目的であるからである。
【００２０】
本発明による実施形態において、ケーブルは後部バスケットに可動式に接続することができる。そうすることによって、後部バスケット、および前頭部ベルトとばねとに結合されるケーブルの両方を、より簡単に適切な位置に保つことができ、さらに着用者の頭部に沿って圧力がより良く分散される。ケーブルは、後部バスケットから独立したケーブルの移動を許容する任意の種類のホールド手段（６）によって後部バスケットに接続することができる。
【００２１】
本発明による特定の実施形態において、ばねはコイルばね、好ましくは定力コイルばねであってもよい。そのような定力コイルばねは、運動範囲にわたって及ぼす力が一定のコイルばねである。概ね定力のばねは、ばねが完全に巻き取られた時に弛緩するようなばね鋼の巻きリボンとして作製される。ばねが巻き出されると、復元力が最初にリボンのロールに近い部分から生じる。バネが巻き出される時、その領域の形状はほぼ一定のままなので、得られる力はほぼ一定である。したがってそのような定力コイルばねを本発明の保持システムに使用する利点は、着用者の頭部に沿った圧力が着用者の頭部のサイズと無関係になり得るということであり得る。
【００２２】
本発明による実施形態において、ケーブルは弾性材料から作製することができる。
【００２３】
さらに、本発明はドーム形状部と、ドーム形状部に装着された上記の自動調整式保持システムとを含むヘルメットを提供する。前頭部ベルトおよび後部バスケットはドーム形状部に装着することができる。ばねは後部バスケットに、または好ましくはドーム形状部に固定することができる。
【００２４】
後者の場合、ばねはドーム形状部に取り付けられるケース（３）の中に配置することができ、それにより保持システムは目立たなくなり、ヘルメットは外観がより魅力的になる。ケースは、ばねを収容するために特別に設計された射出成型プラスチック部品であってもよい。
【００２５】
本発明による実施形態において、前頭部ベルトおよび後部バスケットはハンガー（７）によって着脱可能にドーム形状部に接続することができる。したがって保持システムはクリーニングまたは保管を目的としてドーム形状部から簡単に取り外すことができる。
【図１】
2013529727.tif 000003
【図２】
2013529727.tif 000004
【国際調査報告】
2013529727.tif 000005
2013529727.tif 000006